(57)【要約】  本発明は、限られたモバイルアクセス環境内においてネットワークの相互接続性及び相互運用性を改善するための移動局（ＭＳ）によるセル再選択の新しい方法について記述している。本発明は、あらゆる種類のネットワーク及びそれらの相互接続に適用可能である。本発明は、２つの主要な改善を使用することにより、後続の試みの失敗が減少するように、システム間セル再接続の試みの失敗からＭＳを回復させる方法について記述している。第１に、ＭＳは、セル選択評価及び候補セル選択の際に、自身が以前にその対象のセルの再選択に失敗しているかどうかを考慮している。これは、ＭＳが以前に再選択に失敗している近隣セルを、後続のセル再選択評価の際に、低い優先順位を有するように取り扱うことを意味している。第２に、ＭＳは、セルに対するアクセスが禁止されていると事前に判明している場合に、それらのセルの監視と、これに併う評価を停止可能である。
2008517545.tif 000002
【特許請求の範囲】
【請求項１】
限られたモバイルアクセス環境において移動局をネットワークに相互接続するための前記移動局によるセル再選択の方法において、
所定の手続的基準を使用して前記移動局を前記ネットワークに相互接続するべく前記セルのいずれかを使用可能であるかどうかを判定するために、前記移動局の無線感知地理エリア内に位置しているセルのリストを示すセルリスト信号を前記ネットワークから前記移動局によって受信し、且つ、任意選択により、前記リストからアクセス禁止セルを削除することにより、前記リストから変更済みセルリストを前記移動局によって生成する段階と、
所定の基準を使用して、前記リストから、又は任意選択による前記変更済みリストから、無線に基づいた事前選択された基準を満足している１つのセルを選択する段階と、
前記１つのセルが以前に前記相互接続のための再選択に失敗しているかどうかを前記移動局によってチェックする段階と、
前記１つのセルが以前に再選択に失敗していない場合に前記１つのセルを再選択し、且つ、前記判定の後に、前記所定の手続的基準が前記１つのセルについて満足されている場合に、前記１つのセルを使用し、前記移動局により、前記限られたモバイルアクセス環境において前記移動局を前記ネットワークに相互接続する段階と、
を有する方法。
【請求項２】
前記移動局によって実行されるすべての段階は、前記移動局のセル再選択ブロックによって調整されている請求項１記載の方法。
【請求項３】
前記ネットワークから前記セルのリストを前記移動局によって入手する段階の前に、前記方法は、
前記移動局から前記セルに供給されるキャンプオン信号を使用して前記無線感知地理エリアからの１つのセルに前記移動局によってキャンプオンを行う段階であって、この場合に、前記セルを使用して前記ネットワークから前記リストを前記移動装置によって入手する段階、
を有する請求項１記載の方法。
【請求項４】
前記１つのセルを選択する前記段階の前に、前記方法は、
前記無線に基づいた基準を満足していないセルを前記リスト又は前記変更済みリストから削除することにより、前記リスト又は前記変更済みリストを前記移動局によって絞り込む段階、
を有する請求項１記載の方法。
【請求項５】
前記リストから、又は任意選択による前記変更済みリストから前記１つのセルを選択する前記段階は、前記所定の基準に従って行われた前記セルのランク付けに基づいている請求項４記載の方法。
【請求項６】
前記１つのセルを再選択する前記段階は、
前記移動局から前記１つのセルに供給される更なるキャンプオン信号を使用して前記移動局によって前記１つのセルにキャンプオンを行う段階と、
前記所定の手続的基準を使用し、前記移動局を前記ネットワークに相互接続するべく前記１つのセルを使用可能であるかどうかに関する試験を前記移動局及び前記ネットワークによって実行する段階と、
前記所定の手続的基準が満足されている場合に、前記１つのセルを使用して前記移動局を前記ネットワークに接続する段階と、
を含む請求項１記載の方法。
【請求項７】
前記１つのセルが前記所定の手続的基準を満足していない場合に、前記方法は、
所定の基準を使用し、前記リストから、又は任意選択による前記変更済みリストから無線に基づいた事前選択された基準を満足している更なるセルを選択する段階と、
前記更なるセルが以前に前記相互接続のための再選択に失敗しているかどうかを前記移動局によってチェックする段階と、
前記１つのセルが以前に再選択に失敗していない場合に、前記更なるセルを再選択し、且つ、前記判定の後に、前記所定の手続的基準が満足されている場合に、前記更なるセルを使用し、前記移動局により、前記限られたモバイルアクセス環境において前記移動局を前記ネットワークに相互接続する段階と、
を更に有する請求項１記載の方法。
【請求項８】
前記１つのセルが前記所定の手続的基準を満足していない場合に、本方法は、
前記１つのセルのセル識別情報を前記移動端末によって保存することにより、任意選択により所定の期間にわたり、所定の拒絶基準に基づいて前記１つのセルの前記選択を防止する段階であって、前記セル識別情報は、前記１つのセルを一意に識別するセル情報と、任意選択により前記１つのセルのロケーションエリアアイデンティティ（ＬＡＩ）を含んでいる段階、
を更に有する請求項１記載の方法。
【請求項９】
任意選択により前記所定の期間の後に前記所定の拒絶基準がもはや適用されない場合に、前記保存されている前記１つのセルの前記セル識別情報を前記移動端末によって削除する段階を更に有する請求項８記載の方法。
【請求項１０】
コンピュータプロセッサによって実行されるべくコンピュータプログラムコードが実装されたコンピュータ可読ストレージ構造を有するコンピュータプログラムプロダクトにおいて、
前記コンピュータプログラムコードは、前記移動局、前記セル、又は前記ネットワークのコンポーネントのいずれかによって実施されるものとして示されている請求項１記載の方法の各段階を実行する命令を含んでいることを特徴とするコンピュータプログラムプロダクト。
【請求項１１】
限られたモバイルアクセス環境において移動局をネットワークに相互接続するための前記移動局によるセル再選択の方法において、
所定の手続的基準を使用して前記移動局を前記ネットワークに相互接続するべく前記セルのいずれかを使用可能であるかどうかを判定するために、前記移動局の無線感知地理エリア内に位置しているセルのリストを前記ネットワークから前記移動局によって入手する段階と、
前記リストからアクセス禁止セルを削除することにより、前記リストから変更済みセルリストを前記移動局によって生成し、且つ、前記変更済みリストからの１つのセルが無線に基づいた事前選択された基準を満足しており、且つ、前記所定の手続的基準が前記１つのセルについて満足されている場合に、前記１つのセルを使用して前記限られたモバイルアクセス環境において前記移動局を前記ネットワークに相互接続する段階と、
を有する方法。
【請求項１２】
移動局によるセル再選択を使用することにより、限られたモバイルアクセス環境においてネットワークに相互接続する移動局において、
前記移動局の無線感知地理エリア内に位置しているセルのリストを示すセルリスト信号に応答し、所定の手続的基準を使用して前記移動局を前記ネットワークに相互接続するべく前記セルのいずれかを使用可能であるかどうかを判定するために使用される前記セルのリストを示すセルリスト受信信号を供給する受信／送信／処理モジュールと、
前記セルリスト受信信号に応答し、任意選択により、前記セルリストからアクセス禁止セルを削除することにより前記リストから変更済みセルのリストを生成し、所定の基準を使用して、前記リストから、又は任意選択による前記変更済みリストから、無線に基づいた事前選択された基準を満足している１つのセルを選択し、前記１つのセルが以前に再選択に失敗していない場合に前記１つのセルを再選択するセル再選択ブロックと、
を有しており、
前記所定の手続的基準が前記１つのセルについて満足されていることを示す前記判定の後に、前記１つのセルを使用し、前記移動局により、前記限られたモバイルアクセス環境において前記移動局を前記ネットワークに相互接続する移動局。
【請求項１３】
前記セルのリストを含む前記セルリスト信号を受信する前に、前記セル再選択ブロックは、前記受信／送信／処理モジュールによってキャンプオン信号に変換されるキャンプオンに由来した信号を供給し、前記キャンプオン信号は、前記無線感知地理エリアのセルへの前記移動装置のキャンプオンのために使用されており、この場合に前記ネットワークから前記リストを前記移動装置によって入手するために前記セルが使用される請求項１２記載の移動局。
【請求項１４】
前記１つのセルを選択する前に、前記セル再選択ブロックは、前記無線に基づいた基準を満足していないセルを前記リストから又は前記変更済みリストから削除することにより、前記リスト又は前記変更済みリストを絞り込む請求項１３記載の移動局。
【請求項１５】
前記セル再選択ブロックは、前記受信／送信／処理モジュールによって更なるキャンプオン信号に変換される更なるキャンプオンに由来した信号を更に供給しており、前記更なるキャンプオン信号を使用して前記１つのセル上に前記移動装置のキャンプオンを行うことにより、任意選択によって前記セル再選択ブロックを使用しながら、前記移動局と前記ネットワークにより、前記所定の手続的基準に基づいて、前記移動局を前記ネットワークに相互接続するべく前記１つのセルを使用可能であるかどうかの試験を実行する請求項１２記載の移動局。
【請求項１６】
前記１つのセルが前記所定の手続的基準を満足していない場合に、前記セル再選択ブロックは、所定の基準を使用し、前記リスト又は任意選択による前記変更済みリストから無線に基づいた事前選択された基準を満足している更なるセルを選択し、前記更なるセルが以前に再選択に失敗していない場合に、前記更なるセルを再選択し、
前記所定の手続的基準が前記更なるセルについて満足されていることを示す前記判定の後に、前記更なるセルを使用し、前記移動局により、前記限られたモバイルアクセス環境において前記移動局を前記ネットワークに相互接続する請求項１２記載の移動局。
【請求項１７】
前記リスト、前記変更済みリスト、及びアクセス禁止セルに関する情報を保存するメモリを更に有する請求項１２記載の移動局。
【請求項１８】
前記リスト又は任意選択による前記変更済みリストからの前記１つのセルの選択は、前記所定の基準に従って前記セル再選択ブロックによって実行された前記セルのランク付けに基づいており、この場合に、前記ランキング情報は、前記メモリ内に保存される請求項１７記載の移動局。
【請求項１９】
前記１つのセルが前記所定の手続的基準を満足していない場合に、前記１つのセルのセル識別情報を前記メモリ内に保存することにより、任意選択により所定の期間にわたり、所定の拒絶基準に基づいて前記１つのセルが選択されることを防止し、この場合に、前記セル識別情報は、前記１つのセルを一意に識別するセル情報と、任意選択により、前記１つのセルのＬＡＩを含む請求項１７記載の移動局。
【請求項２０】
任意選択による前記所定の期間の後に、前記所定の拒絶基準がもはや適用されない場合に、前記１つのセルの前記セル識別情報を前記メモリから削除する請求項１９記載の移動局。
【請求項２１】
移動局によるセル再選択を使用することにより、限られたモバイルアクセス環境においてネットワークに相互接続する移動局において、
前記移動局の無線感知地理エリア内に位置しているセルのリストを示すセルリスト信号に応答し、前記セルのリストを示すセルリスト受信信号を供給する受信／送信／処理モジュールと、
前記セルリスト受信信号に応答し、前記リストからアクセス禁止セルを削除することにより、前記リストから変更済みセルリストを生成し、１つのセルが無線に基づいた事前選択された基準を満足している場合に、前記変更済みリストから前記１つのセルを選択し、前記１つのセルへの前記移動装置のキャンプオンのために使用される更なるキャンプオンに由来した信号を供給し、所定の手続的基準が前記１つのセルについて満足されているかどうかを判定し、この結果、前記所定の手続的基準が満足されている場合に、前記限られたモバイルアクセス環境における前記移動局と前記ネットワークとの相互接続を提供するセル再選択ブロックと、
を有する移動局。
【請求項２２】
限られたモバイルアクセス環境において移動局をネットワークに相互接続するための前記移動局によるセル再選択を利用するシステムにおいて、
前記移動局の無線感知地理エリア内に位置している２以上の整数であるＭ個のセルのリストを示すセルリスト信号に応答し、所定の手続的基準を使用し、前記移動局を前記ネットワークに相互接続するべく前記セルのいずれかを使用可能であるかどうかを判定し、且つ、任意選択により、前記リストからアクセス禁止セルを削除することにより前記リストから変更済みセルリストを生成し、所定の基準を使用して前記リスト又は任意選択による前記変更済みリストから無線に基づいた事前選択された基準を満足している１つのセルを選択し、前記１つのセルが以前に前記相互接続のための再選択に失敗しているかどうかをチェックし、前記１つのセルが以前に再選択に失敗していない場合に前記１つのセルを再選択し、且つ、前記判定の後に、前記所定の手続的基準が前記１つのセルについて満足されている場合に、前記１つのセルを使用して前記限られたモバイルアクセス環境において前記移動局を前記ネットワークに相互接続する移動局と、
前記Ｍ個のセルを含む１以上の整数であるＫ個のサブネットワークと、
前記セルリスト信号を供給するネットワークと、
を有するシステム。
【請求項２３】
前記セルリスト信号は、前記ネットワークのネットワークプロバイダから供給されている請求項２２のシステム。
【請求項２４】
前記セルリストを前記ネットワークから前記移動局によって入手する前に、前記移動局は、前記移動局からセルに供給されたキャンプオン信号を使用することにより、前記セルにキャンプオンしており、この場合に、前記セルは、任意選択により、前記リストを入手するための要求を含むセル要求信号を前記ネットワークに転送している請求項２２記載のシステム。
【請求項２５】
前記リスト又は任意選択による前記変更済みリストからの前記１つのセルの選択は、前記所定の基準に従う前記セルのランク付けに基づいている請求項２２記載のシステム。
【請求項２６】
前記１つのセルの再選択は、
前記移動局から前記セルに供給される更なるキャンプオン信号を使用する前記１つのセルへの前記移動局のキャンプオンと、
前記移動局を前記ネットワークに相互接続するのに前記１つのセルを使用可能であるかどうかについて前記所定の手続的基準を使用して行われる前記移動局及び前記ネットワークによる試験の実行と、
前記所定の手続的基準が満足されている場合における前記１つのセルを使用する前記移動局の前記ネットワークへの接続と、
を含む請求項２２記載のシステム。
【請求項２７】
限られたモバイルアクセス環境において移動局をネットワークに相互接続するための前記移動局によるセル再選択を利用するシステムにおいて、
前記移動局の無線感知地理エリア内に位置している２以上の整数であるＭ個のセルのリストを示すセルリスト信号に応答し、所定の手続的基準を使用し、前記移動局を前記ネットワークに相互接続するべく前記セルのいずれかを使用可能であるかどうかを判定し、且つ、任意選択により、アクセス禁止セルを前記リストから削除することにより前記リストから変更済みセルリストを生成し、且つ、前記変更済みリストからの１つのセルが無線に基づいた事前選択された基準を満足しており、且つ、前記所定の手続的基準が前記１つのセルについて満足されている場合に、この１つのセルを使用して前記限られたモバイルアクセス環境において前記移動局を前記ネットワークに相互接続する移動局と、
前記少なくともＭ個のセルを含む１以上の整数であるＫ個のサブネットワークと、
前記セルリスト信号を供給するネットワークと、
を有するシステム。
【発明の詳細な説明】
【技術分野】
【０００１】
（関連出願に対する優先権及び相互参照）
本出願は、２００４年１０月２０日付けで出願された米国特許出願第１０／９７０，８２７号に対する優先権を主張するものである。
本発明は、一般に、モバイル通信に関するものであり、更に詳しくは、ネットワークの相互接続性及び相互運用性を改善するセルの再選択に関するものである。
【背景技術】
【０００２】
ＧＳＭ−ＵＴＲＡＮネットワーク環境における現在のＧＳＭ−ＵＴＲＡＮ（Ｇｌｏｂａｌ  Ｓｙｓｔｅｍ  ｆｏｒ  Ｍｏｂｉｌｅ  ｃｏｍｍｕｎｉｃａｔｉｏｎｓ−Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）対応ＭＳ（Ｍｏｂｉｌｅ  Ｓｔａｔｉｏｎ：移動局）ローミングが直面している問題には、２つの側面が存在している。１つの側面は、ＭＳが、既に不適切であると判明している同一のセル（例えば、ＵＴＲＡＮセル）を再選択する試みを継続するという点である。もう１つの側面は、アクセス不可能なセルを監視することにより、ＭＳが電力リソースを浪費しているという点である。以下、これらの２つの状況について詳述する。
【０００３】
第１の状況は、ＭＳが、同一の不適切なセル（例えば、ＵＴＲＡＮセル）を再選択するべく試みている場合である。現時点においては、３ＧＰＰ（３ｒｄ  Ｇｅｎｅｒａｔｉｏｎ  Ｐａｒｔｎｅｒｓｈｉｐ  Ｐｒｏｊｅｃｔ）の標準Ｉｎｔｅｒ−ＲＡＴ（Ｒａｄｉｏ  Ａｃｃｅｓｓ  Ｔｅｃｈｎｏｌｏｇｙ）対応ＭＳは、ネットワークによって定義された近隣リスト（ｎｅｉｇｈｂｏｒ  ｌｉｓｔ）内に掲載されている場合に、ＭＳに基づいたセル再選択評価のために、その他の無線アクセス技術のセルを監視している。別の無線アクセス技術のセルを再選択するための無線に基づいた基準が満足されている場合に、ＭＳは、特定の最良のセルを（それが適切なものである場合に）再選択するべく試みることができる。例えば、ＧＳＭからＵＴＲＡＮへなどの従来技術による（最良のセルを規定するためのランキング値の定義（例えば、最大のＲＳＣＰ（Ｒｅｃｅｉｖｅｄ  Ｓｉｇｎａｌ  Ｃｏｄｅ  Ｐｏｗｅｒ）を具備しているもの）を使用した）セル再選択のアルゴリズムの詳細については、「３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  ＧＳＭ／ＥＤＧＳ  Ｒａｄｉｏ  Ａｃｃｅｓｓ  Ｎｅｔｗｏｒｋ；  Ｒａｄｉｏ  ｓｕｂｓｙｓｔｅｍ  ｌｉｎｋ  ｃｏｎｔｒｏｌ」（３ＧＰＰ  ＴＳ  ４５．００８、ｓｅｃｔｉｏｎ  ６．６．５）に提供されている。
【０００４】
セルへのキャンプオン（ｃａｍｐ  ｏｎ）に成功するための条件が満足されていない場合には（例えば、そのセルが不適切なものであったり、あるいは、そのセルへのアクセスが禁止されている場合には）、ＭＳは、本来の無線アクセス技術（例えば、ＧＳＭ）に戻ることがある。ここでは、ＭＳは、ネットワークによって定義された近隣リスト内に掲載されているその他の無線アクセス技術のセルの計測及び評価を再開する。この結果、以前に試みた同一のセルが最良のセルとして再び評価され、ＭＳが、このセルを再選択するべく再度試み、このセルへのキャンプオンが不可能であることが再び判明する。ＭＳは、本来の無線アクセス技術に戻り、このサイクルが永続化することになる。図１は、従来技術において、移動局が同一の不適切なセルの再選択を試みている際の状況を示している。このように従来技術は、このような状況をＭＳが処理する方法に関するなんらのガイダンスをも提供してはいない。
【０００５】
第２の状況は、ＭＳが、アクセス禁止セル（例えば、ＵＴＲＡＮセル）を監視することにより、電力リソースを浪費している場合である。具体的には、３ＧＰＰセルラーシステム内のアクセス禁止セルに関する履歴情報を有することなしに、セルへのアクセスが許容されているかどうかを見出すには、ＭＳは、ネットワークに登録するべくロケーション更新手順を実行しなければならない。ＭＳが、＃１３又は＃１５という拒絶原因値を有する「Ｌｏｃａｔｉｏｎ  Ｕｐｄａｔｅ  Ｒｅｊｅｃｔ」メッセージをネットワークから取得した場合には、これは、そのセルへのＭＳのアクセスが禁止されていることを意味している。「３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｃｏｒｅ  Ｎｅｔｗｏｒｋ；  Ｍｏｂｉｌｅ  ｒａｄｉｏ  ｉｎｔｅｒｆａｃｅ  Ｌａｙｅｒ  ３  ｓｐｅｃｉｆｉｃａｔｉｏｎ；  Ｃｏｒｅ  ｎｅｔｗｏｒｋ  ｐｒｏｔｏｃｏｌｓ；  Ｓｔａｇｅ  ３」（３ＧＰＰ  ＴＳ  ２４．００８、４．４．４．７）によれば、ＭＳは、この場合に、「ローミング禁止ロケーションエリア（ｆｏｒｂｉｄｄｅｎ  ｌｏｃａｔｉｏｎ  ａｒｅａｓ  ｆｏｒ  ｒｏａｍｉｎｇ）」リスト上にロケーションエリアアイデンティティ（ＬＡＩ：Ｌｏｃａｔｉｏｎ  Ａｒｅａ  Ｉｄｅｎｔｉｔｙ）を保存することになる。この情報は、将来のセル選択の試みにおいて使用され、この結果、ＭＳは、ターゲットセルが禁止されたＬＡＩに属していないかどうかをチェック可能である。このチェックは、適切なセルが満たすべき基準の１つではある。しかしながら、このＬＡＩ情報は、セルを一意に識別するために十分なものではない。エリア内の複数のセルが、同一のＬＡＩを具備可能なのである。従って、ＭＳがＬＡＩしか保存していない場合には、ＭＳが、同一の禁止されたＬＡＩに属している同一の１つ又は複数のセルの計測を継続する可能性がある。
【０００６】
特定のネットワーク（特に、共有セルラーネットワーク）環境においては、ビジネス条件の変化に起因し、事業者が、ＷＣＤＭＡネットワークのみを運営すると共に、カバレージを拡張するべく、別の無線アクセス技術のネットワークを所有する別の事業者との間にローミング契約を具備するという状況が益々一般的なものになっている（例えば、Ｈｕｔｃｈｉｎｓｏｎ  ３社の加入者が、オーストリアのＭｏｂｉｌｋｏｍ社のＧＳＭネットワークにローミングする）。また後者の事業者が、ローミングパートナーの加入者がアクセス不可能な独自のＷＣＤＭＡネットワークを運営している（並びに、この逆の）状況が発生することもある。ネットワークによって定義された近隣リストが、パートナーの加入者がアクセス不可能なセルしか含んでいない場合がある。このようなリストをＭＳが受領することになる理由は、この情報が、同一のセルにキャンプオンしているすべてのＭＳに対してブロードキャストされるためである。
【０００７】
ＭＳが特定の条件においてこのようなセルを監視しないように、ネットワークが、既存のシグナリングメカニズムを使用し、特定のＭＳ用に計測トリガ閾値及び近隣リストをカスタマイズすることは可能であるが、このためには、ネットワークがＭＳのモビリティを非常に厳格に制御しなければならず、これは、複雑性及びシグナリング負荷の観点から、実装の点において実際的ではない。ネットワーク事業者の実装の観点における最も容易な方法は、このセルにキャンプオンしているすべてのＭＳが、ブロードキャストによって定義されている近隣リストを使用してセルを計測するというものであろう。ネットワークの共有に起因し、セルにキャンプオンしている加入者は、所有者である事業者の加入者であると共に／又は、そのローミングパートナーの加入者である可能性があり、ネットワークが、特定のＭＳのために設定を具体的にカスタマイズすることを所望しない場合には、ＭＳがセルを計測するように計測閾値を設定することになろう。この結果として、ローミングパートナーの加入者端末が、結局、自身がアクセス不可能なセル（即ち、禁止されたＬＡＩに属するセル）を計測及び評価するということになるのである。
【０００８】
ＭＳが、ターゲットのＵＴＲＡＮセル（即ち、再選択の対象であるセル）が適切なものであるかどうかに関する情報を入手する（又は、アクセスが許容されているかどうかを見出す）ということは、到来通話ページングの消失、移動局側からの通話要求の処理不能性、及びデータ転送の中断の観点において、ＭＳがエンドユーザーに対してサービスを提供できない期間が存在しているということを意味している。
【０００９】
特定のＬＡＩのすべてのセルが禁止されていることを既に「発見」している場合にも、ＭＳは、依然として、ＬＡＩを入手するべくターゲットセルのシステム情報メッセージを読み取る必要がある。従って、その実装が、デュアル（それぞれのＲＡＴごとに１つずつ）のＧＳＭ及びＷＣＤＭＡ  ＲＦ（Ｒａｄｉｏ  Ｆｒｅｑｕｅｎｃｙ）受信機ハードウェアを使用していない限り、サービスアベイラビリティにおけるギャップを回避不可能であり、これは、費用効率が悪いだけでなく、製造におけるコンポーネント数を増大させる。電話機の製品に、更なるセルラーＲＡＴ（例えば、ＣＤＭＡ２０００）が内蔵されている場合には、これらのコンポーネント数が更に増大することになる。
【００１０】
少なくともＧＳＭからＷＣＤＭＡへのセル再選択及び２Ｇ−２Ｇ間におけるセル再選択の環境においては、ネットワークによって定義される近隣リスト内に掲載されているため、現時点においては、ＭＳは、このようなセルを監視している。適合性の基準が満足されていないことから、このようなセルは、そのセル上における最初のロケーション更新の試みの後に、再選択されることにはならないにも拘わらず、これらのセルの計測及び評価は継続されることになる。無線の基準に基づいたこれらのセルの評価に成功した場合に、ＭＳによるセルの適切性のチェックがトリガされることになろう。これをチェックするには、ＭＳは、ターゲットセルのシステム情報メッセージを受信する必要があり、この結果、共有ＧＳＭ／ＷＣＤＭＡ高周波受信機ハードウェア実装のサービスアベイラビリティに短いギャップが発生することになろう。
【００１１】
図２は、前述のように、従来技術において、アクセス禁止セルを監視する際に、移動局がリソースを浪費している様子を示すフローチャートを示している。
【発明の開示】
【発明が解決しようとする課題】
【００１２】
本発明の目的は、限られたモバイルアクセス環境においてネットワークの相互接続性及び相互運用性を改善するための移動局（ＭＳ）によるセル再選択の方法を提供することにある。
【課題を解決するための手段】
【００１３】
本発明の第１の態様によれば、限られたモバイルアクセス環境において移動局をネットワークに相互接続するための移動局によるセル再選択の方法は、所定の手続的基準を使用して移動局をネットワークに相互接続するべくセルのいずれかを使用可能であるかどうかを判定するために、移動局の無線感知地理エリア内に位置しているセルのリストを示すセルリスト信号をネットワークから移動局において受信し、且つ、任意選択により、リストからアクセス禁止セルを削除することにより、リストから変更済みセルリストを移動局によって生成する段階と；所定の基準を使用して、リストから（又は、任意選択により、変更済みリストから）無線に基づいた事前選択された基準を満足している１つのセルを選択する段階と；１つのセルが以前に相互接続のための再選択に失敗しているかどうかを移動局によってチェックする段階と；１つのセルが以前に再選択に失敗していない場合に、１つのセルを再選択し、判定の後に、所定の手続的基準が１つのセルについて満足されている場合に、１つのセルを使用し、移動局により、限られたモバイルアクセス環境において移動局をネットワークに相互接続する段階と；を有している。
【００１４】
更に本発明の第１の態様によれば、移動局によって実行されるすべての段階は、移動局のセル再選択ブロックによって調整可能である。
【００１５】
更に本発明の第１の態様によれば、ネットワークからセルリストを移動局において入手する段階の前に、本方法は、移動局からセルに供給されるキャンプオン信号を使用し、無線感知地理エリアのセルへ移動局によってキャンプオンを行う段階を有することが可能であり、この場合には、セルを使用してネットワークから移動装置においてリストを入手する。
【００１６】
更に本発明の第１の態様によれば、１つのセルを選択する段階の前に、本方法は、無線に基づいた基準を満足していないセルをリストから（又は、変更済みリストから）削除することより、リスト（又は、変更済みリスト）を移動局によって絞り込む段階を有することができる。更には、リストから（又は、任意選択により、変更済みリストから）１つのセルを選択する段階は、所定の基準に従って行われたセルのランク付けに基づいたものであってよい。
【００１７】
更に本発明の第１の態様によれば、１つのセルを再選択する段階は、移動局から１つのセルに供給される更なるキャンプオン信号を使用し、移動局によって１つのセルにキャンプオンを行う段階と；所定の手続的基準を使用し、移動局をネットワークに相互接続するべく１つのセルを使用可能であるかどうかに関する試験を移動局及びネットワークによって実行する段階と；所定の手続的基準が満足されている場合に、１つのセルを使用して移動局をネットワークに接続する段階と；を包含可能である。
【００１８】
更に本発明の第１の態様によれば、１つのセルが所定の手続的基準を満足していない場合に、本方法は、所定の基準を使用し、リストから（又は、任意選択により、変更済みリストから）無線に基づいた事前選択された基準を満足している更なるセルを選択する段階と；更なるセルが以前に相互接続のための再選択に失敗しているかどうかを移動局によってチェックする段階と；１つのセルが以前に再選択に失敗していない場合に、更なるセルを再選択し、判定の後に、所定の手続的基準が満足されている場合に、更なるセルを使用し、移動局により、限られたモバイルアクセス環境において移動局をネットワークに相互接続する段階と；を更に有することができる。
【００１９】
更に本発明の第１の態様によれば、１つのセルが所定の手続的基準を満足していない場合に、本方法は、１つのセルのセル識別情報を移動端末によって保存することにより、任意選択により、所定の期間にわたって、所定の拒絶基準に基づいて１つのセルの選択を防止する段階を更に含んでおり、この場合に、セル識別情報は、１つのセルを一意に識別するセル情報と、任意選択により、１つのセルのＬＡＩ（Ｌｏｃａｔｉｏｎ  Ａｒｅａ  Ｉｄｅｎｔｉｔｙ）を含んでいる。更には、本方法は、任意選択により、所定の期間の後に、所定の拒絶基準がもはや適用されない場合に、保存されている１つのセルのセル識別情報を移動端末によって除去する段階を更に有することができる。
【００２０】
本発明の第２の態様によれば、移動局によるセル再選択を使用することにより、限られたモバイルアクセス環境においてネットワークに相互接続する移動局は、移動局の無線感知地理エリア内に位置しているセルのリストを示すセルリスト信号に応答し、所定の手続的基準を使用して移動局をネットワークに相互接続するべくセルのいずれかを使用可能であるかどうかを判定するために使用されるセルのリストを示すセルリスト受信信号を供給する受信／送信／処理モジュールと；セルリスト受信信号に応答し、任意選択により、リストからアクセス禁止セルを除去することにより、リストから変更済みセルリストを生成し、所定の基準を使用してリストから（又は、任意選択により、変更済みリストから）無線に基づいた事前選択された基準を満足している１つのセルを選択し、１つのセルが以前に再選択に失敗していない場合に、１つのセルを再選択するセル再選択ブロックを有しており、この場合に、所定の手続的基準が１つのセルについて満足されていることを示す判定の後に、１つのセルを使用し、移動局により、限られたモバイルアクセス環境において移動局をネットワークに相互接続する。
【００２１】
更に本発明の第２の態様によれば、セルのリストを含んでいるセルリスト信号を受信する前に、セル再選択ブロックは、受信／送信／処理モジュールによってキャンプオン信号に変換されるキャンプオンに由来した信号を供給可能であり、キャンプオン信号は、無線感知地理エリアのセルに対する移動局のキャンプオンのために使用可能であり、この場合には、セルを使用し、ネットワークからリストを移動装置によって入手可能である。又、１つのセルを選択する前に、セル再選択ブロックは、無線に基づいた基準を満足していないセルをリストから（又は、変更済みリストから）削除することにより、リスト又は変更済みリストを絞り込むことができる。
【００２２】
更に本発明の第２の態様によれば、セル再選択ブロックは、受信／送信／処理モジュールによって更なるキャンプオン信号に変換されるキャンプオンに由来した信号を更に供給可能であり、更なるキャンプオン信号を使用して１つのセルに移動局のキャンプオンを行うことにより、所定の手続的基準に基づいて、移動局をネットワークに相互接続するべく１つのセルを使用可能であるかどうかに関する試験を（任意選択により、セル再選択ブロックを使用して）移動局とネットワークによって実行可能である。
【００２３】
更に本発明の第２の態様によれば、１つのセルが所定の手続的基準を満足していない場合には、セル再選択ブロックは、所定の基準を使用し、リストから（又は、任意選択により、変更済みリストから）無線に基づいた事前選択された基準を満足している更なるセルを選択可能であり、且つ、更なるセルが以前に再選択に失敗していない場合には、更なるセルを再選択可能であり、この場合に、所定の手順が更なるセルについて満足されていることを示す判定の後に、更なるセルを使用し、移動局により、限られたモバイルアクセス環境において移動局をネットワークに相互接続する。
【００２４】
更に本発明の第２の態様によれば、移動局は、リスト、変更済みリスト、及びアクセス禁止セルに関する情報を保存するメモリを更に有することができる。更には、リストから（又は、任意選択により、変更済みリストから）１つのセルの選択は、所定の基準に従ってセル再選択ブロックによって実行されたセルのランク付けに基づいたものであってよく、この場合に、ランキング情報は、メモリ内に保存される。更には、１つのセルが所定の手続的基準を満足していない場合には、１つのセルのセル識別情報をメモリ内に保存することにより、任意選択により、所定の期間にわたって、所定の拒絶基準に基づいて１つのセルの選択を防止可能であり、この場合に、セル識別情報は、１つのセルを一意に識別するセル情報と、任意選択により、１つのセルのＬＡＩ（Ｌｏｃａｔｉｏｎ  Ａｒｅａ  Ｉｄｅｎｔｉｔｙ）を含んでいる。更には、１つのセルのセル識別情報は、任意選択により、所定の期間の後に、所定の拒絶基準がもはや適用されない場合に、メモリから削除可能である。
【００２５】
本発明の第３の態様によれば、限られたモバイルアクセス環境において移動局をネットワークに相互接続するための移動局によるセル再選択を利用するシステムは、移動局の無線感知地理エリア内に位置している２以上の整数であるＭ個のセルのリストを示すセルリスト信号に応答し、所定の手続的基準を使用し、移動局をネットワークに相互接続するべくセルのいずれかを使用可能であるかどうかを判定し、且つ、任意選択により、リストからアクセス禁止セルを除去することによってリストから変更済みセルリストを生成し、所定の基準を使用してリストから（又は、任意選択により、変更済みリストから）無線に基づいた事前選択された基準を満足している１つのセルを選択し、１つのセルが以前に相互接続のための再選択に失敗しているかどうかをチェックし、１つのセルが以前に再選択に失敗していない場合に、１つのセルを再選択し、且つ、判定の後に、所定の手続的基準が１つのセルについて満足されている場合に、１つのセルを使用して限られたモバイルアクセス環境において移動局をネットワークに対して相互接続する移動局と；Ｍ個のセルを含む１以上の整数であるＫ個のサブネットワークと；セルリスト信号を供給するネットワークと；を有している。
【００２６】
更に本発明の第３の態様によれば、セルリスト信号は、ネットワークのネットワークプロバイダから供給可能である。
【００２７】
更に本発明の第３の態様によれば、ネットワークからセルリストを移動局によって入手する前に、移動局からセルに供給されるキャンプオン信号を使用し、移動局をセルにキャンプオンすること可能であり、この場合に、セルは、任意選択により、リストを入手するための要求を含むセル要求信号をネットワークに対して転送する。
【００２８】
更に本発明の第３の態様によれば、リストから（又は、任意選択により、変更済みリストから）１つのセルを選択する段階は、所定の基準に従ってセルをランク付けする段階に基づいたものであってよい。
【００２９】
更に本発明の第３の態様によれば、１つのセルの再選択は、移動局から１つのセルに供給される更なるキャンプオン信号を使用する１つのセルへの移動局のキャンプオンと；移動局をネットワークに相互接続するのに１つのセルを使用可能であるかどうかについて所定の手続的基準を使用して行われる移動局とネットワークによる試験の実行と；所定の手続的基準が満足されている場合における１つのセルを使用する移動局のネットワークへの接続と；を包含可能である。
【００３０】
本発明の第４の態様によれば、コンピュータプログラムプロダクトは、コンピュータプロセッサによって実行されるべくその上部にコンピュータプログラムコードが実装されているコンピュータ可読ストレージ構造を有しており、コンピュータプログラムコードは、移動局、セル、又はネットワークのコンポーネントのいずれかによって実行されるものとして示されている本発明の第１の態様の各段階を実行する命令を包含することを特徴としている。
【００３１】
本発明の第５の態様によれば、限られたモバイルアクセス環境において移動局をネットワークに相互接続するための移動局によるセル再選択の方法は、移動局をネットワークに相互接続するべくセルのいずれかを使用可能であるかどうかを所定の手続的基準を使用して判定するために、移動局の無線感知地理エリア内に位置しているセルのリストをネットワークから移動局によって入手する段階と、リストからアクセス禁止セルを削除することにより、リストから変更済みセルリストを移動局によって生成し、変更済みリストからの１つのセルが無線に基づいた事前選択された基準を満足しており、且つ、所定の手続的基準が１つのセルについて満足されている場合に、この１つのセルを使用し、限られたモバイルアクセス環境において移動局をネットワークに相互接続する段階と；を有している。
【００３２】
本発明の第６の態様によれば、移動局によるセル再選択を使用して限られたモバイルアクセス環境においてネットワークに相互接続する移動局は、移動局の無線感知地理エリア内に位置しているセルのリストを示すセルリスト信号に応答し、セルリストを示すセルリスト受信信号を供給する受信／送信／処理モジュールと；セルリスト受信信号に応答し、リストからアクセス禁止セルを削除することによってリストから変更済みセルリストを生成し、且つ、１つのセルが無線に基づいた事前選択された基準を満足している場合に、変更済みリストから１つのセルを選択し、１つのセルに移動装置のキャンプオンを行うべく使用されるキャンプオンに由来した信号を更に供給し、且つ、所定の手続的基準が１つのセルについて満足されているかどうかを判定し、この結果、所定の手続的基準が満足されている場合に、限られたモバイルアクセス環境において移動局をネットワークに相互接続を提供するセル再選択ブロックと；を有している。
【００３３】
本発明の第７の態様によれば、限られたモバイルアクセス環境において移動局をネットワークに相互接続するための移動局によるセルの再選択は、移動局の無線感知地理エリア内に位置している２以上の整数Ｍ個のセルのリストを示すセルリスト信号に応答し、所定の手続的基準を使用し、移動局をネットワークに相互接続するべくセルのいずれかを使用可能であるかどうかを判定し、任意選択により、リストからアクセス禁止セルを削除することよってリストから変更済みセルリストを生成し、変更済みリストからの１つのセルが無線に基づいた事前選択された基準を満足しており、且つ、所定の手続的基準が１つのセルについて満足されている場合に、この１つのセルを使用して限られたモバイルアクセス環境において移動局をネットワークに相互接続する移動局と；Ｍ個のセルを含む１以上の整数であるＫ個のサブネットワークと；セルリスト信号を供給するネットワークと；を有している。
【００３４】
ネットワークの相互接続性を改善するためのセル再選択を使用する利点は以下のものを含んでいる（ただし、これらに限定されるものではない）。
・その他のＲＡＴ上における不必要なシステム情報メッセージの受信に起因したページングメッセージの消失及びサービスの中断に伴う損失の極小化（共有ＲＦ受信機ハードウェアソリューションの場合）、休止時間の低減、並びに、エンドユーザーが経験する品質の改善
・実行される計測及び評価の減少に起因したスタンバイ時間の増大
・システム情報メッセージに対する変更の除外と、従って、ネットワークの変更の除外（この利点は、本動作がＭＳの所定の動作として付加されセルに固有ではない場合に（即ち、（Ｐ）ＳＩ（（Ｐａｃｋｅｔ）Ｓｙｓｔｅｍ  Ｉｎｆｏｒｍａｔｉｏｎ））メッセージを使用してＭＳに指示されている場合に）当てはまる）
・モバイルソフトウェアの実装における柔軟性の保持（即ち、ＭＳは、評価の際にターゲットＲＡＴシステム情報を読み取る必要がない）
・評価及びセル再選択候補選択手順に対するＭＳによる完全な制御の保持
・「ローミング禁止ロケーションエリア」リストのエントリの有効期間における禁止されたＬＡＩを具備したセルに対する再選択の試行／適合性チェックの反復の防止
【発明を実施するための最良の形態】
【００３５】
添付の図面との関連において、以下の詳細な説明を参照することにより、本発明の特性及び目的について更に十分に理解することができよう。
【００３６】
本発明は、限られたモバイルアクセス環境においてネットワークの相互接続性及び相互運用性を改善するための移動局（ＭＳ）によるセル再選択の新しい方法を提供している。本発明は、あらゆる種類のネットワーク及びそれらの相互接続に適用可能である。例えば、これは、ＧＳＭ／ＧＰＲＳ（Ｇｅｎｅｒａｌ  Ｐｏｃｋｅｔ  Ｒａｄｉｏ  Ｓｅｒｖｉｃｅ）及びＵＴＲＡＮの相互運用エリア内において適用可能であり、あるいは、ＣＤＭＡ（Ｃｏｄｅ  Ｄｉｖｉｓｉｏｎ  Ｍｕｌｔｉｐｌｅ  Ａｃｃｅｓｓ）及びＷＬＡＮ（Ｗｉｒｅｌｅｓｓ  Ｌｏｃａｌ  Ａｒｅａ  Ｎｅｔｗｏｒｋ）などのその他のシステム間技術の間における相互運用に適用することも可能である。移動局は、移動端末、ユーザー装置、任意のタイプの移動通信装置、携帯電話機などであってよい。
【００３７】
本発明は、後続の試みの失敗が減少するように、システム間セル再選択の試みの失敗からＭＳを回復させる方法について記述している。計測及びセル再選択評価アルゴリズムの最適化を通じて電池寿命が向上することになる。又、本ソリューションは、データ転送接続の中断の減少と休止時間の低減に伴い、エンドユーザの経験の改善にも結ぶ付く。
【００３８】
次に、前述の問題を克服するべく、本発明の２つの主要なマイルストーンについて説明する。
【００３９】
第１に、ＭＳは、セル再選択評価及び候補セル選択の際に、自身が以前にその対象のセルの再選択に失敗しているかどうかを考慮している。即ち、再選択基準を満足する複数の近隣セルが存在している場合に最良のセルを定義するべく使用される特定のランキング値の使用に加えて、ＭＳは、自身がそのセルを再選択するべく試みた際に、過去において、問題に遭遇しているかどうかという点をも考慮しているのである。これは、ＭＳが以前に再選択に失敗している近隣セルを、後続のセルの再選択評価の際に、相対的に低い優先順位を有するように取り扱うということを意味している。尚、本発明は、この優先順位を回復して元に戻す方法についても記述している。
【００４０】
第２に、セルに対するアクセスが禁止されていることが事前に判明している場合には、ＭＳは、それらのセルの監視を（従って、評価を）停止可能である。
【００４１】
以下、これらの本発明の２つの主要なマイルストーンに対応したソリューションについて更に説明することとする。
【００４２】
ＭＳは、次の理由の中の１つに起因し、特定のセルの再選択に失敗する可能性がある。
【００４３】
（１）セルが禁じられている（ＭＳによるキャンプオンが許容されていない）。
（２）セルが、許容可能なＰＬＭＮ（Ｐｕｂｌｉｃ  Ｌａｎｄ  Ｍｏｂｉｌｅ  Ｎｅｔｗｏｒｋ）のものではない。
（３）セルが、禁止されたＬＡ（Ｌｏｃａｔｉｏｎ  Ａｒｅａ）のものである。
（４）セルが脆弱過ぎる（セルの選択基準が満足されていない）。
（５）必要な（Ｐ）ＳＩ（（Ｐａｃｋｅｔ）  Ｓｙｓｔｅｍ  Ｉｎｆｏｒｍａｔｉｏｎ）又はＳＩＢ（Ｓｙｓｔｅｍ  Ｉｎｆｏｒｍａｔｉｏｎ  Ｂｌｏｃｋ）の読み取りに問題がある。
（６）セルとの同期化に問題がある。
（７）ランダムアクセス送信障害がある。
【００４４】
本発明によれば、ＭＳは、例えば、その内部データストレージ又はＳＩＭ（Ｓｕｂｓｃｒｉｂｅｒ  Ｉｄｅｎｔｉｔｙ  Ｍｏｄｕｌｅ）内において障害原因にマーキングすることにより、この情報を保存している。保存の方法とは無関係に、ＭＳは、この情報を再選択障害が発生した特定のセルへリンクできる必要がある。この結果、ＭＳは、後続のセル再選択評価において、以下の方法により、この情報を使用可能である。
【００４５】
（１）そのセルを再選択から一時的に遮断する。
（２）そのセルに一時的なオフセットを付加することにより、そのセルに対する再選択を更に困難にする。
（３）再選択のためのそのセルの監視を一時的に停止する。
（４）ＭＳが再選択のためにそのセルに戻ることが可能である場合には、時間限度を付加する。
【００４６】
ＭＳがこのようなセルを処理する方法に関する情報は、例えば、次のようにすることができる。
【００４７】
（１）セル再選択評価用に使用される仕様部においてこの動作を直接示す。並びに／又は、
（２）ネットワークからＭＳに送信されるシステム情報内において、この動作について通知する。
【００４８】
本発明によれば、後続の再選択評価の際に、以前に試みたセルが、最良のランキングを有する再選択候補として存在しており、且つ、ＭＳが再選択するべく試みていないその他のセルが存在している場合に、ＭＳは、別のセルを再選択するべく選定し、そのセルを再選択候補として評価可能である。このソリューションにおいては、ネットワークは、ＭＳの動作を制御する必要がない。但し、評価用の更なるセルが存在していないか、又はすべてのその他のセルに対するすべての以前の再選択が失敗している場合には、ＭＳは、次のアクションの中の１つを選択可能である。
【００４９】
（１）現在のセルが、依然として正常なキャンプオンに適切である場合には、ＭＳは、そのセルに留まる。
（２）現在のセルが、もはや正常なキャンプオンに適切ではない場合には、ＭＳは、あるセルにキャンプオン失敗インジケータのマーキングがされている場合にも、そのセルに対して再選択を試みることができる。
【００５０】
あるいは、この代わりに、評価対象のセルがキャンプオン失敗インジケータによってマーキングされていない（且つ、そうでない場合にも、そのセルが、仕様に従ってセル再選択に適切であると評価されている）場合には、ＭＳは、そのセルに対する再選択を実行する。
【００５１】
本発明によれば、キャンプオン失敗インジケーションによってマーキングされている近隣セルに対して、特定のイベントの後に（例えば、特定の時間の後、又は特定のアクションを実行した後に）、その再選択候補としての優先順位を正常な状態に回復可能である。これらのイベントは、次のようなものであってよい。
【００５２】
（１）制御されたタイマ（これは、０〜無限大の時間間隔を含んでいる）
（２）ＭＳが、セルに関するすべての情報を「リセット」した。
（３）セルが、もはやセル近隣リストの一部を構成していない。
（４）セル上における正常なキャンプオンが発生した。
【００５３】
本発明によれば、ＭＳが問題のあるセルを、単にそれが最良のランキングを有するセルであるという理由によって再選択するべく試みることが防止され、且つ、ＭＳが相対的に低いランキングを有する（但し、恐らくは適切である）セル（これは、セル再選択基準をも満足しており、且つ、同一のキャンプオンの失敗を結果的にもたらさない）を再選択することを可能にする。前述のセル再選択における失敗の理由は、無線状態に伴う失敗とセルへのアクセスの失敗とにグループ化できる。劣悪な無線状態に起因した再選択の失敗は、ＭＳのロケーションが変化した際に改善可能であり、従って、これは、半永久的又は長期的な失敗ではない。一方、禁止セルへのアクセスに起因した再選択の失敗は、特定のセルに対するアクセスを制限することにより、ネットワーク事業者によって制御されており、これは、ＭＳのロケーションによっては改善できない。本発明は、最良のランキングを有するセルに対してアクセス不可能なエリア内においてローミングしているＭＳが、同一のセルを毎回再選択するべく試みることを防止することになる。
【００５４】
例えば、ＧＳＭ／ＵＴＲＡＮネットワーク内におけるアクセス禁止セルのＭＳによる監視の停止を実現することに関連して、ＭＳは、セル上におけるロケーション更新を試み、拒絶原因値＃１３又は＃１５を有する「Ｌｏｃａｔｉｏｎ  Ｕｐｄａｔｅ  Ｒｅｊｅｃｔ」メッセージを受信することにより、この情報を収集する。次いで、ＭＳは、現時点においては（従来技術に従って）、例えば、「３ｒｄ  Ｇｅｎｅｒａｔｉｏｎ  Ｐａｒｔｎｅｒｓｈｉｐ  Ｐｒｏｊｅｃｔ；  Ｔｅｃｈｎｉａｌ  Ｓｐｅｃｉｆｉｃａｔｉｏｎ  Ｇｒｏｕｐ  Ｃｏｒｅ  Ｎｅｔｗｏｒｋ；  Ｍｏｂｉｌｅ  ｒａｄｉｏ  ｉｎｔｅｒｆａｃｅ  ｌａｙｅｒ  ３  ｓｐｅｃｉｆｉｃａｔｉｏｎ；  Ｃｏｒｅ  Ｎｅｔｗｏｒｋ  ｐｒｏｔｏｃｏｌｓ；  Ｓｔａｇｅ  ３」（３ＧＰＰ  ＴＳ  ２４．００８、４．４．４．７）に記述されている手順に準拠し、「ローミング禁止ロケーションエリア」リスト上にＬＡＩ（Ｌｏｃａｔｉｏｎ  Ａｒｅａ  Ｉｄｅｎｔｉｔｙ）を一覧表示している。しかしながら、「背景技術」の節において説明したように、ＬＡＩ情報は、セルを一意に識別するために十分なものではない。本発明によれば、ＭＳは、セルの計測（監視）を停止できるように、そのセルの識別に使用可能な適切なセル情報をも保存している。「ローミング禁止ロケーションエリア」リストは、セル再選択評価の期間に匹敵する長い有効期間を具備しており、これは通常多くの場合に５秒である。「３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉａｔｉｏｎ  Ｇｒｏｕｐ  Ｃｏｒｅ  Ｎｅｔｗｏｒｋ；  Ｍｏｂｉｌｅ  ｒａｄｉｏ  ｉｎｔｅｒｆａｃｅ  Ｌａｙｅｒ  ３  ｓｐｅｃｉｆｉｃａｔｉｏｎ；  Ｃｏｒｅ  ｎｅｔｗｏｒｋ  ｐｒｏｔｏｃｏｌｓ；  Ｓｔａｇｅ  ３」（３ＧＰＰ  ＴＳ  ２４．００８、４．４．１）によれば、「ローミング禁止ロケーションエリア」リストは、ＭＳが電源切断された際又はＳＩＭが除去された際に、又は（１２〜２４時間の範囲の期間内において）定期的に削除され、あるいは、リストが一杯になり、新しいエントリを挿入しなければならないときに最も古いエントリが削除される。そのＬＡＩが「ローミング禁止ロケーションエリア」リスト上に掲載されている限り、そのセルを監視するという方式は、そのセルの適合性基準が満足されず従ってＭＳがそのセルを自発的に選択するということにならない限り、リソースの浪費である。又、事業者が、このようなセルに対する加入者のローミングアクセス権限を急いで変更するという可能性も非常に低い（又は、このような状況は、ありえないであろう）。本発明によれば、ＭＳは、次のような場合に、禁止されたロケーションエリアからのセルの監視及び評価を開始する。
【００５５】
・ＬＡＩ（Ｌｏｃａｔｉｏｎ  Ａｒｅａ  Ｉｄｅｎｔｉｔｙ）が「ローミング禁止ロケーションエリア」から削除された。
・以前に禁止されていたセルに対するアクセスが許容された。
・ＭＳが、自発的なセル再選択が許容されていないモードに入ると共に／又は、ＭＳが、計測レポートを送信する必要がある（例えば、ＧＳＭ  ＣＳ専用モード、ＧＰＲＳ  ＮＣ２モード）。
【００５６】
図３は、本発明に従って限られたモバイルアクセス環境において移動局１０をネットワーク３８に相互接続するための移動局１０によるセル選択を示すシステムブロック図の一例を示している。
【００５７】
図３の例においては、移動局１０は、セル再選択ブロック１４、メモリ１２、及び送信機／受信機／処理モジュール１６を有している。セル再選択ブロック１４は、本発明を実装するための主要なブロックであり、セル再選択と関連して移動局１０によって実行されるすべての段階をセル再選択ブロック１４によって調整でき、またもたらすことができる。例えば、図３に示されているように、セル再選択ブロック１４は、キャンプオンに由来した信号２８−２と、更なるキャンプオンに由来した信号２８−３を生成することにより、前述及び図４との関連において後程詳述する本発明に記述されているアルゴリズムに従ってセルに対する再選択を円滑に実行可能である。又、セル再選択ブロック１４は、移動局１０の無線感知地理エリア内に位置しているセルのリストを示すセルリスト受信信号２８−１に応答可能であり、このセルリストは、前述のように、このリストからアクセス禁止セルを削除することにより、ブロック１４によって変更される。本発明によれば、ブロック１４は、ソフトウェア又はハードウェアブロック、あるいは、これらの組み合わせとして実装可能である。更には、ブロック１４は、別個のブロックとして実装することも可能であり、あるいは、移動局１０のその他の標準的なブロックと組み合わせることも可能である。セル再選択ブロック１４は、メモリ１２を使用することにより、本発明に記述されている適切なセル情報を保存及び取得可能である。このメモリ１２も様々な方法で実装可能である。これは、移動局１０の汎用メモリの一部であってもよく、あるいは、（例えば、ＳＩＭ（Ｓｕｂｓｃｒｉｂｅｒ  Ｉｄｅｎｔｉｔｙ  Ｍｏｄｕｌｅ）などの）別個の専用のエリアであってもよい。最後に、移動局１０は、当技術分野において周知のように、複数の方法によって実装可能な送信機／受信機／処理ブロック１６を含んでいる。通常、このモジュール１６は、送信機、受信機、ＣＰＵ、Ｉ／Ｏブロックなどを包含可能である。基本的に、モジュール１６は、後程詳述するように、ネットワークとセル再選択ブロック１４の効率的な通信を提供するためのものである。例えば、モジュール１６は、キャンプオン信号３０−２と更なるキャンプオン信号３０−３をそれぞれキャンプオンに由来した信号２８−２及び更なるキャンプオンに由来した信号２８−３から生成する。又、モジュール１６は、セルリスト信号３０−１を受信し、これを、セル再選択ブロック１４に供給されるセルリスト信号２８−１に変換している。
【００５８】
図３は、移動装置１０用の（合計Ｍ個のセルを含んでいる）無線感知地理エリア２４内のＫ個のサブネットワーク２０−１、２０−２、．．．、２０−Ｋを示している。これらのＫ個のサブネットワーク２０−１、２０−２、．．．、２０−Ｋのそれぞれのサブネットワークは、いくつかのセルを収容可能であり、例えば、サブネットワーク２０−１は、Ｎ個のセル２０−１−１．．．２０−１−Ａ、．．．、２０−１−Ｎを収容し、サブネットワーク２０−Ｋは、Ｍ−Ｆ個のセル２０−Ｋ−Ｆ．．．２０−Ｋ−Ｂ、．．．、２０−Ｋ−Ｍを収容しており、ここで、Ｋは、少なくとも１の値の整数である。無線感知地理エリア２４内のセルの合計数は、Ｍであり、この場合に、Ｍは、少なくとも２の値の整数である。サブネットワーク２０−１、２０−２、．．．、２０−Ｋのすべては、原則的に、なんらの制限を伴うことなしに、様々なタイプのネットワークによって表現可能である。例えば、サブネットワーク２０−１、２０−２、．．．、２０−Ｋの１つは、ＧＳＭ／ＧＰＲＳであってよく、サブネットワーク２０−１、２０−２、．．．、２０−Ｋの別のサブネットワークは、ＵＴＲＡＮであってよい。図４と関連して後述するように、移動局１０は、まず、セルリスト情報を入手するべく（このセルリスト情報は、ネットワーク３８からブロードキャスト可能である）、キャンプオン信号３０−２を使用することにより、例えば、サブネットワーク２０−１のセルＡ（セル２０−１−Ａ）にキャンプオン可能であり、その後、移動局１０は、（キャンプオン信号３０−３を使用することにより）再選択用に選定されたセル（例えば、サブネットワーク２８−ＫのセルＢ（セル２０−Ｋ−Ｂ））にキャンプオンすることが可能である。
【００５９】
図３の移動局１０によって実行されるセル再選択の目的は、ネットワーク（又は、主ネットワーク）３８との間に有効且つ最も効率的な接続を確立することにある。ネットワーク３８は、通常、ネットワークプロバイダ（又は、ネットワーク事業者）２６を含んでおり、このネットワークプロバイダが、セル２０−１−Ａ（セルＡ）からブロック２６に供給されるセルリスト要求信号３３に応答し、前述のセルリスト信号３０−１を供給している（あるいは、この代わりに、このセルリスト情報は、ネットワーク３８からブロードキャストすることも可能である）。
【００６０】
図４は、本発明に従って限られたモバイルアクセス環境において図３に示されているネットワーク３８に移動局１０を相互接続するための移動局１０によるセル選択を示すフローチャートを示している。
【００６１】
図４のフローチャートは、多数のものの中の１つの可能なシナリオを表しているに過ぎない。本発明による方法においては、第１段階４０において、移動局１０が、セル（例えば、セルＡ（サブネットワーク２０−１のセル２０−１−Ａ））にキャンプオンしている（これは、キャンプオン信号３０−２によって円滑に実行されており、これについては、前述の通りである）。段階４０の目的は、ネットワーク３８に対する移動局１０の相互接続を提供するべく、移動局１０の無線感知地理エリア内に位置している監視及び計測対象であるセルのリストをネットワーク３８から取得するための手順を起動することにある。従って、セルＡへのキャンプオンは、このセルリストを要求するセルリスト選択信号３３をセルＡからネットワーク３８のネットワークプロバイダ２６に対して送信する段階を自動的に含んでいる。次の段階４２において、移動局は、ネットワーク３８から、監視及び計測対象であるセルのリストを示す（セルリスト受信信号２８−１に変換される）セルリスト信号３０−１を入手し、このセルリストをメモリ１２内に保存する。
【００６２】
次の段階４４において、セルリスト（又は、計測リスト）内にアクセス禁止セルが存在しているかどうかを（例えば、メモリ１２とやり取りするセル再選択ブロック１４を使用して）移動局１０によって判定する。本発明においては、アクセス禁止セルは、様々な理由から再選択可能ではない複数のセルを包含可能である（例えば、セルが禁じられていたり、セルが、許容可能なＰＬＭＮ（Ｐｕｂｌｉｃ  Ｌａｎｄ  Ｍｏｂｉｌｅ  Ｎｅｔｗｏｒｋ）のものでなかったり、セルが、禁止されたＬＡ（Ｌｏｃａｔｉｏｎ  Ａｒｅａ）のものであったり、セルが脆弱過ぎる、など）。尚、このアクセス禁止セルのリストを定義している前述の理由及び理論的な根拠は、技術及び規格の発展に伴って適宜変更可能である。
【００６３】
段階４４において、セルリスト内にアクセス禁止セルが存在していると判定された場合には、次の段階４６において、移動局１０は、（セル再選択ブロック１４及びメモリ１２を使用して）このリストからアクセス禁止セルを削除し、これにより、監視及び計測対象となる変更済みセルリストを生成し、次いで、本プロセスは、段階４８に進む。一方、セルリスト内にアクセス禁止セルが存在していないと判定された場合には、次の段階４８において、前述の無線に基づいた基準を満足していないセルを変更済みリストから削除することにより、無線に基づいた基準を満足しているセルを識別し、前述の無線状態に伴う失敗を回避することにより、変更済みセルリストを（移動局１０内において）更に絞り込み、これにより、変更済みリストを無線に基づいた（Ｒａｄｉｏ−Ｂａｓｅｄ：ＲＢ）変更済みリストに変更する。
【００６４】
次の段階５０において、無線に基づいた基準を満足している変更済みセルリストから、再選択用のランキングに基づいて（即ち、所定の基準を使用することにより）１つのセル（例えば、サブネットワーク２０−ＫのセルＢ（２０−Ｋ−Ｂ））を選定する。このランキングは、例えば、「３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  ＧＳＭ／ＥＤＧＥ  Ｒａｄｉｏ  Ａｃｃｅｓｓ  Ｎｅｔｗｏｒｋ；  Ｒａｄｉｏ  ｓｕｂｓｙｓｔｅｍ  ｌｉｎｋ  ｃｏｎｔｒｏｌ」（３ＧＰＰ  ＴＳ  ４５．００８、ｓｅｃｔｉｏｎ６．６．５）に規定されているように、（例えば、最良のセル用の最大のＲＳＣＰ（Ｒｅｃｅｉｖｅｄ  Ｓｉｇｎａｌ  Ｃｏｄｅ  Ｐｏｗｅｒ）を具備した）ランキング値の定義を使用することにより、定義可能であるが、セルのランキングを判定する複数のその他の方法及び基準を使用することも可能である。次の段階５２において、セルＢが以前に移動局１０をネットワーク３８に相互接続するための再選択に失敗しているかどうかを（例えば、セル再選択ブロック１４を使用することにより）移動局１０によってチェックする。これが真である場合には、本プロセスは、段階５４に進む。一方、セルＢが以前に再選択に失敗していないと判定された場合には、本プロセスは、段階６２に進む。
【００６５】
段階５４において、前述の変更済みのＲＢリスト内に再選択用の別のセルが存在しているかどうかを判定する。これが真である場合には、本プロセスは、段階５０に戻る。一方、前述の変更済みのＲＢリスト内に再選択用のその他のセルが存在していないと判定された場合には、次の段階５８において、移動局は、試行済みのセルに対する次の再選択プロセスを起動するまでの時間遅延を設定した後に、セルＡにキャンプオンした状態のまま留まり、前述の時間遅延の後に、段階４０に戻ることになる。尚、代替シナリオにおいては、段階５８の前の段階において、移動局１０が、もはやセルＡにキャンプオンすることができない場合には、段階５８を実行する代わりに、移動局１０は、変更済みのＲＢリストから別のセル（場合によっては、例えば、セルＢなどの以前に再選択に失敗したもの）を選定し、後述する段階６２に進むことができる。
【００６６】
段階６２において、選定されたセルＢを再選択し、移動局１０は、セルＢへのキャンプオンを行う。次の段階６４において、セルＢの再選択（又は、セルＢへのキャンプオン）に成功したかどうかを判定する。これが偽である（セル上におけるキャンプオンに失敗している）場合には、本プロセスは、前述の段階５４に進む（あるいは、この代わりに、段階４０に進むことも可能である）。一方、セルＢの再選択に成功している場合には、次の段階６６において、移動局１０及びネットワーク３８により、所定の手続的基準に基づいた試験を使用することにより、移動局１０が、再選択されたセルＢを使用することによってネットワーク３８にアクセス可能であるかどうかを判定する（例えば、移動局１０がセルＢへのキャンプオンに成功している場合にも、（例えば、回答内において拒絶原因値＃１３又は＃１５を示すことによる）アクセスの禁止に起因し、ネットワーク３８に対するロケーション更新／登録がネットワーク３８によって拒絶される場合がある）。段階６６において、ネットワーク３８に対するアクセスが拒絶された場合には、次の段階７２において、アクセスが拒絶された旨がネットワーク３８から移動局１０に通知され、これに続いて、段階７４において、移動局１０は、再選択されたセルＢのＬＡＩ（Ｌｏｃａｔｉｏｎ  Ａｒｅａ  Ｉｄｅｎｔｉｔｙ）（又は、これに類似したセルＢの識別情報）と、このセルを一意に識別可能な情報（これは、例えば、ＧＳＭセルの場合には、周波数及び／又は、ＢＳＩＣ（Ｂａｓｅ  Ｓｔａｔｉｏｎ  Ｉｄｅｎｔｉｆｉｅｒ  Ｃｏｄｅ）及び／又は、利用可能な場合には、例えば、特定の時間にわたってこれに対する更なるアクセスを防止するためのＣＧＩ（Ｃｅｌｌ  Ｇｌｏｂａｌ  Ｉｄｅｎｔｉｆｉｃａｔｉｏｎ）であってよい）を保存する（セルＢに対するアクセスの回復は、本発明によれば、前述の手順を使用することによって実現可能である）。
【００６７】
一方、段階６６において、アクセスが拒絶されなかったと判定された場合には、次の段階６８において、アクセスが許可された旨がネットワーク３８から移動局１０に通知される。最後に、段階７０において、移動局１０は、選択されたセルＢを使用することにより、ネットワーク３８との所望の接続を確立する。
【図面の簡単な説明】
【００６８】
【図１】従来技術に従って移動局が同一の不適切なセルを再選択するべく試みている様子を示すフローチャートである。
【図２】従来技術に従って移動局がアクセス禁止セルを監視することによってリソースを浪費している様子を示すフローチャートである。
【図３】本発明に従って限られたモバイルアクセス環境において移動局をネットワークに相互接続するための移動局によるセル選択を示すシステムブロック図である。
【図４】図３に示されている限られたモバイルアクセス環境において本発明に従い移動局をネットワークに相互接続するための移動局によるセル選択を示すフローチャートである。
【図１】
2008517545.tif 000003
【図２】
2008517545.tif 000004
【図３】
2008517545.tif 000005
【図４】
2008517545.tif 000006
【国際調査報告】
2008517545.tif 000007
2008517545.tif 000008
2008517545.tif 000009
2008517545.tif 000010